(57)【要約】      （修正有）【課題】伸縮性布地や滑性の高い布地にジッパーを縫付るとその縫製部はねぢれ現象・ジッパー伸上り現象を起す、さらにスライダー噛ませ部の破損を招き、ジッパーテープが波打つ為にラインが美しい衣服・ＢＡＧを縫製出来ない問題を解決する伸縮性ジッパーテープを用いた布地の縫製方法を提供する。【解決手段】伸縮性布地は非伸縮のジッパーテープで縫合す過程で伸上りの現象を起す、又ジッパーテープ左縫いと右縫いは伸縮率は同じではなく、そこで先にジッパーテープを伸縮性を持たせる為、左テープ３に第１ステッチ１のウーリーミシン糸又はライクラミシン糸縫形成して逆Ｃ形状にジッパーテープを縮め、そして右テープ３に第２ステッチ１のウーリーミシン糸又はライクラミシン糸縫形成してＣ形状にジッパーテープが縮み伸縮性ジッパーテープにして、布地と縫合せ時、そのテープを長さ方向に２〜６％伸長させ、布地とジッパーテープを縫製する。【選択図】  図１
2004216100.tif 000002
【特許請求の範囲】
【請求項１】
ジッパーテープを伸縮性を有するテープを製造する方法であってスライダー噛ませ部が取り付けられているジッパーテープを布地に縫い付ける縫製方法においてスライダー噛ませ部は非伸縮性糸で織り込まれ、他方の側は伸張性織（タルミ織又はパーマ織）で織り込まれ、織りこまれたジッパーテープは、その非伸縮性で織られた側にスライダー噛ませ部を伸び止め状に取付けスライダー噛ませ部が取付けられた側と反対側の非伸張性織により織られた側は約１％のタルミ織で伸長で、出来ると長さ方向の欠陥が発生する伸上りジッパーテープは波打現象で縫製される原因のそのジッパーテープを縮める方法において、まずミシンステッチを使用するミシン機の下糸用ボビンに伸縮性縫糸ウーリーミシン糸又はライクラ糸を下糸用として、ミシン上糸は普通糸非伸縮性縫い糸でミシン機でジッパーテープ２本の外側両方にミシンステッチを縫い付けると下糸のウーリーミシン糸の張力が加わり、そのジッパーテープは逆に縮んで、それぞれ外側は逆Ｃ字及びＣ字状に変形するジッパーテープ縮め加工のジッパーテープにする伸縮性の直線ステッチ及び鎖ステッチ及びジグザグ及びロックステッチ縫い。
【請求項２】
布地を用いてジッパーテープを縫製方法において前記伸縮性ジッパーテープを布地に向ってジッパーテープをその長さ方向に２／４％〜４／６％伸長させた状態いで当接させて布地と伸縮縫糸付ジッパーテープをミシンのステッチで縫い合わせで伸縮性ジッパーテープを用いた布地を縫製することを特徴とする縫製方法。
【請求項３】
ジッパーテープと布地を縫製する方法においてミシン機下糸をウーリー糸又はライクラ縫い糸の張力を利用してジッパーテープの第１縫テープを約２％ミシン機送り伸長で縫い合せ、次に第２テープを４〜６％伸長縫いで、その結果は下糸のウーリーミシン糸によって伸上りを起さず直すぐ縫い合せる布地とジッパー伸長率を有するテープの製造方法とそのテープ２〜６％伸長で布地に縫い合す縫製方法。
【請求項４】
たるみ６％織り伸長ジッパーテープをミシン機の下糸とライクラ布のライクラ糸を上糸でたぐりあげてジッパーテープの縦方向の伸び上りテープ（通常のジッパーは約１％伸上りで伸縮しない）を寸法を縮める方法においてライクラ糸布の糸部を利用してジッパーテープを縦方向に非伸縮性の糸を利用してたるみ織（パーマネント糸の様なバネ糸）を織る方法は縦糸をたるみ織で横糸を強く織る加工糸状で実現するそのジッパーテープは２〜４％又は２〜６％伸長するジッパーテープとライクラ地を縫い合される時、ライクラ地とジッパーテープが合体される、それはミシン糸の上糸と下糸の仕業でミシン上糸が下糸をたぐり上げる時、ライクラ地のライクラ糸も同時にたぐり上げられてジッパーテープのミシン穴が座金（ホックの例え）のメス穴となり、ライクラ地のライクラ糸は、はめ金（ホックの例え）のオスで凸部でミシン糸縫い合せると、通常１％伸上りジッパーテープを縮め縫いでジッパーテープを２〜４％限度の伸長力で縫い合わせる工程とからなることを特徴とする、伸縮性糸布地とジッパーテープの伸長・伸縮の縫製方法。
【発明の詳細な説明】
【０００１】
〔発明の属する技術分野〕本発明は布地とジッパーテープの伸縮機能性の縫製方法に関する。
【０００２】
〔従来の技術〕従来、例えば本願者の米国特許６１６４２２７号や特許３１７２８３６号に開示されているようにライクラ（Ｌｙｃｒａ）（エ・イ・デュポン・ド・ヌムール・アンド・カンパニー（Ｅ・Ｉ・Ｄｕ  Ｐｏｎｔ  ｄｅ  Ｎｅｍｏｕｒｓ  ＆  Ｃｏ．）社製。商品名）のようなスパンデックス、即ち伸縮性糸により織られた伸縮性布地（以下、「ライクラ地」という。）や、一般にジッパーテープと呼ばれる（ＹＫＫ・ＴＡＬＯＮ・ＬＩＬＩ社製商品名。）のようなジッパーテープはライクラ地と縫い合せると伸上りの波打現象で縫製ねぢれの欠陥を起す方法で知られている、これらのこれらの前特許３１７２８３６号の図４（ａ）に示すようにまずジッパーテプ３０は伸縮性糸布（ライクラ）テープ部で３１はスライダー噛ませ部３１と反対側の衣類等の他の布地に縫い付ける側に伸縮性糸を用いこの伸縮性糸を伸ばしながら同時に一本のジッパーテープ３３に織り込み、この時点で伸縮性糸からなるジッパーテープ３３の両側はそれそれ逆Ｃ字及びＣ字状に変形する６頁〜１２〜一段に書かれている方法は本発明の先の特許でこれが人類の伸縮率ジッパーテープの基礎の発見・発明である特許３１７２８３６号方法。
【０００３】
〔発明が解決しょうとする課題〕しかしながらこの最良の伸縮ジッパーテープをこの方法で製造しょうとすると製造しょうとするジッパー３０から３２を伸縮性糸布ライクラ糸を織りこむと本発明も同じの伸縮率２〜４％よりも大きく伸上りのジッパーテープが出来てそれに加え伸縮性糸ライクラを伸ばし織の伸び率織が難しく平約の伸長と縮み力３％はずでも１０％にも変ったりしてジッパーテプの伸縮バラ付で製造コスト高となってしまう事が分った。
【０００４】
そこで本発明の目的は上記の点に鑑み、この発明の原理を維持しながら、関単にジッパーテープをそのまゝ伸縮機能を有する方法で図１（ａ）ジッパーテープの裏側に伸縮ミシン糸のウーリーミシン糸１を左側に縫いつける方法で逆Ｃ状形縮みステッチを発明した、それから右側テープ１ＡがＣ状形ステッチが形成されジッパーテープ（計２本組合せ）た伸縮ウーリミシン糸又はライクラミシン糸の張力となって伸縮逆ＣとＣ状形縮みジッパーテープはコスト的にも伸長率の仕上りも優れた方法である。
【０００５】
この本発明の方法は通常の伸上り過ぎの３％のジッパーテープは不良品にもなっているが、この場合ウーリーミシン糸下糸ボビンを強くする事によって縫い付けると伸上り過ぎも解消される利点も有るので通常１％の伸上りジッパーテープを縮めテープにするのは関単に修正されるので波打現象を起さないジッパーテープは故障も少くするのである
【０００６】
〔課題を解決するための手段〕本発明の発明者はジッパーテープの左側はミンン縫製において手前の伸上り波打現象を起し、右側は前方向を大きく伸上り前方向波打現象を起すジッパーテープは２本が一組でありミシン機送り伸張率を（都技研究所に測定を調べた所）左テープ約１．９Ｎ（約０．２ｋｇｆ）で右テープ約５．９Ｎ（約０．６ｋｇｆ）の伸張率の大きな違いを判明した、その伸張率をテープ伸長で人口的に何％の平約の長さ限定で左波打と右波打を一定の３％〜３．５％伸長方法はないかと考えた。
【０００７】
通常のジッパーテープはスライダー部分よりも縫製部は平約１％伸上りテープで製造されているが、他の布地に縫い合せると左テープは２％左テープは４％平約でさらに伸び上る寸法違いが発生するが、本来の目的は同寸になるのが望ましい、そこで本発明者はジッパーテープ上に反撥バネを思いついたのが前発明特許３１７２８３６号の反撥原理力で吊り橋のワイヤーに相当する効果を伸縮性糸布方法からミシン糸の伸縮ウーリーミシン糸又はライクラミシン糸を吊り橋のワイヤーに見立てゝ本発明を完成させるに至った。
【０００８】
即ち請求項１記載の発明は、伸縮性ミシン糸を用いたジッパーテープの縫製方法であって一方のジッパーテープの裏面に伸縮性ウーリーミシン又はライクラミシン縫糸で縫い付けて、もう一方のジッパーテープの裏面にも同じ縫糸で縫い付ける縫製方法において、左ジッパーテープを逆Ｃ字形状に右ジッパーはＣ字形状にわざと縮み縫いを形成して伸縮性ミシン糸縫されたジッパーテープは縫製中に伸縮性を有するジッパーテープ。
【０００９】
請求項２記載の発明は前記ジッパーテープを用いた布地の縫製方法であって、伸縮性縮みジッパーテープ左逆Ｃ右Ｃ字状テプを布地に向って、その長さ方向に２〜４％又は２〜６％の伸長で伸張させた状態で当接させて布地をジッパーテープの左テープと右テープをミシンステッチで縫い合す事によってジッパーテープは逆Ｃ及びＣ字形状が変化して真すぐに形状縫い合わされる。
【００１０】
請求項３記載の発明は通常の１％伸上りジッパーテープを修正して伸上りを縮める方法において、伸縮性ミシン糸を利用した物でミシン下糸にウーリーミシン及はライクラミシン糸を巻き付けて、布地とジッパーテープを縫い合せる方法で、左テープ約２％伸長してから次の右テープは４〜６％伸長は手動とミシン張力で縫い合せ用ジッパーテープは伸長率６％限度用を作製するテープと伸縮性ミシン糸。
【００１１】
請求項４記載の発明は前発明の２〜４％伸長テープを非伸縮糸での伸張を作り出すために糸たるみ６％で伸長出来るジッパーテープをライクラ糸布に縫い付ける方法において、ジッパーテープの下側にライクラ地を重ね合せて、次にミシン上糸は下糸をつり上げる時ライクラ地の部分からライクラ糸部分を同時につり上げる為にたるみ６％ジッパーテープが必要となる、まずたるみ６％の縦糸がたるみ織りでミシン機針はテープの中央に穴を開く役目をして上糸が下糸をつり上げる時、道連れでライクラ糸がジッパーテープに合体縫いされる仕組が発生するとジッパーテープ６％の伸上り現象も起さずジッパーの操作性が改善できるのは６％伸長ジッパーテープの製造方によるライクラ地との縫製は伸縮で復元の方法である。
【００１２】
本発明の伸縮性ジッパーテープは伸張率・伸縮率を表す方法で従来云われる自由自在ではない。本来伸縮率は限度が必要でジッパーテープも伸縮反撥力が必要とされるミシン工学の方法は今だに知られていない、又ジッパーテープも伸上り１％常態も知られていないので通常のジッパーテープと布地で縫い上りは左もＣ字形状に伸上り右もＣ字形状伸上りで復元しないが本発明はジッパーも布地も伸張力（吊り橋のワイヤーに相当する効果）方法の伸縮の物理法則の方法である。
【００１３】
〔発明の実施の形態〕以下、本発明の実施の一形態を図に基づいて説明する。図１（ａ）〜（ｄ）は本発明の第１の縫製するジッパーテープの手順を模式的に説明する説明図であり、図２（ａ）は本発明の伸縮機能ジッパーテープを布地本体に縫いつける手順を示す説明図であり、図３（ａ）〜（ｃ）は、本発明の第２及び第３の縫製方法の手順を模式的に説明する説明図であり、図４（ａ）〜（ｄ）は本発明の第１の縫製したジッパーテープを衣類本体に縫いつける手順を示す説明図であり、図５（ａ）は従来のジッパーテープの内股縮曲りで外伸びしたジッパー図と実物写真であり、図６（ａ）〜（ｂ）は非伸縮織糸のたるみ織り糸の手順を示す説明図である
【００１４】
本発明の第１の縫製方法ではジッパーテープの裏側に、伸縮性ミシン糸を縫製する場合、まず図１（ａ）〜（ｄ）に示すように（ａ）シッパーテープの左側にウーリーミシン糸又はライクラミシン糸１で縫い付けるとミシン糸が縮んで逆Ｃ形状に次は右側もウーリーミシン糸縫いでＣ字形状に変形すると伸縮性を有するジッパーテープ。
【００１５】
この場合伸縮性縫ミシン糸付ジッパーテープの布地と縫い合せる時、その長さ方向に２〜４％又は２〜６％で伸張しその張力が解除されたとき元の形状に復元して、ジッパーと布地が縫い合される伸縮性ミシン糸はウーリーミシン又はライクラミシン糸は伸縮性を有する物であれば縫糸ジッパーテープは特に限定されない。
【００１６】
さらに本発明のジッパーテープ伸縮性技術的縫製方法で図２（ａ）に示すようにミシン針１１は上糸１４で下糸ウーリーミシン糸１５をボビン１２と１６からすくい持上げる、伸縮性糸を利用してジッパーテープ左８と右９を布地１０で縫い合されるジッパー手持部１８で右側ジッパーは約４％〜６％の伸長が望ましい又その伸長で伸上りを起さない方法で、下糸ウーリーミシン糸が必要となる本発明は東京都立技術研究所に伸長テストを重ね、依頼した結果ジッパーと布地の縫い合せ伸張率は左２％はミシン送力約１．９Ｎ（約０．２ｋｇｆ）で右ジッパーテープはミシンの逆送り１７で１９Ａ方向となり、やむなく手動力１８で４〜６％引張右ジッパー９は約５．９Ｎ（約０．６ｋｇｆ）の伸長テスト成績書で伸張率がわかったのでその伸縮力をウーリーミシン糸とライクラ糸の縫い糸で発見発明したのでジッパー伸長２〜６％で縫いで布地を重ね縫い合されたとき元の形に復元する。
【００１７】
また、伸縮性糸布地ライクラ地の場合に限り上記ウーリーミシン糸又はライクラミシン糸のジッパーの伸縮性を助け役を代用する方法で図３（ａ）２１上糸ミシン糸は下糸２２をすくい上げる時その下糸の道づれにライクラ糸布の糸部２３もすくい上げられるその場合ジッパーテープの織糸は縦糸たるみ織りで伸長率２〜４％に限定されるたるみの加工糸織でありホックで例えるとテープは座金穴メス役となる、次のライクラ糸すくい上げ部の糸はその穴部ハメ込まれ糸凸部のオス役となり、その穴部の大きさはたるみ伸長率２〜４％穴Ｘである。
【００１８】
図５（ａ）〜（ｂ）は本発明者前特許第３１７２８３６号の物であり次の（ｃ）〜（ｄ）の説明の目的で説明する物で本発明で左テープ２４は逆Ｃ縮みで右ジッパーテープはＣ形状は同じであるが先発明（ａ）〜（ｂ）は伸縮糸は織り込まれているのに対して次の（ｃ）〜ｄ）はライクラ縫いのテープ作製後に縫いつけ方法の違いてあるのは、先発明はそのテープ図４（ａ）ライクラ織部３０〜３３は縦糸にライクラ糸小量本数だけ伸長織は技術的に難しく又伸長織した場合２〜４％の限定伸縮織はさらに困難をきわめ、大巾なコスト高となった又ジッパテープは製造過程でスライダー取付中に縮む方向に出来上ってしまうのが約１％でそれで反対側の縫い付部が伸上り常態で出来上ると１％の伸上りとなり、布地と縫い合せるとさらに５％伸上る仕組となる、それで本発明は伸び上らない方法を思考錯誤の末図１の（ａ）１のウーリーミシン糸伸縮力で図５（ｃ）〜（ｄ）の逆Ｃテープ２４とＣ形状２５ジッパーテープを完成した。
【００１９】
図５（ａ）は通常の従来ジッパーテープ２６は伸上り説明図と写真で約１％スライダーの反対側が伸上りの実物であるテープ２６は布地２７とミシンステッチ２８で縫い合せでさらに伸上る。
【００２０】
図６（ａ）は米国特公開中の布帛織りの１が縦糸２が横糸その図（ｂ）は本発明の説明する２は縦糸に変り１は横糸となって本発明の目的縦たるみ部形成した空き間部Ｘである。
【００２１】
〔実施例〕以下、本発明の実施の態様を実施例を挙げて説明するが、本発明はこれらに限定されるものではない。
〔実施例１〕
本発明の方法により、伸縮性ミシン糸（ウーリー糸又はライクラ糸）縫糸ジッパーテープ図４（ｃ）〜（ｄ）を用いて衣服図４（ｂ）を縫製した。その図４（ｃ）ジッパーテープ右側２５は図４（ｂ）衣服の３３ジッパーテープの取付部３５に図４（ｃ）右側２５を取付又は縫付した説明図である。そのジッパーテープのミシンステッチは図１（ａ）の伸縮性ミシン糸のステッチ１で縫い付けられた縮み縫いである。
【００２２】
次はそのジッパーテープを縫い付ける方法である図２（ａ）はジッパーテープ左側８を布地１０を重ね合せてその長さ方向に約２％伸長させた状態で縫い合せ、次は右側ジッパー９を布地１０を重ね合せてその９ジッパーテープを手持１８によって、４〜６％伸長させた状態で平約伸長率３％〜３．５％でジッパーテープと布地に縫い合されると、ウーリー糸又はライクラミシン糸で左逆Ｃテープ右Ｃ状縮みテープが直っすぐに縫い上りを形成される。
【００２３】
この方法によると従来のジッパーテープ約１％伸上りもウーリーミシン糸やライクラ糸での縮み力で１％伸上りも元の寸法の同寸に復元するので、通常のジッパーテープに比べて格段に優れ、極めて見栄えが良く伸上りジッパーではない、又従来のジッパーテープをフリース又はライクラ地に同寸で縫いにするため伸上りを防ぐ目的でジッパーテープにさらにパイピングを加え縫された物にくらべ本発明は単に伸縮ステッチのみでコスト的にも低く関単シンプルで出来る工程でねぢれや波打現象も少ない。
【００２４】
〔発明の効果〕本発明の縫製方法によれば衣類や袋物・ＢＡＧのジッパーテープ左側図２（ａ）シッパー８テープと右側ジッパー９テープが伸縮性で縫い付けるのでねぢれ縫いはしないためジッパーテープの開け閉めはスムースな動きが可能となりジッパースライダー噛み合せ不良の破損を改善する、さらにジッパーテープ部も波打ち現象が起きないため、衣類やＢＡＧのラインのきちっとした縫製が可能となり、産業上に果たす役割極めて大きい。
【図面の簡単な説明】
【図１】（ａ）〜（ｄ）は本発明の第１の縫製方法によりジッパーテープ縫製する手順を模式的に示す説明図である。
【図２】（ａ）は本発明の第２の縫製方法によりジッパーテープと布地を縫製する手順を模式的に示す説明図である。
【図３】（ａ）〜（ｄ）は本発明の第３の縫製方法によりジッパーテープとライクラ糸を縫い合せる手順のミシン機構造で縫製する模式的に示す説明図である。
【図４】（ａ）は本発明者特許３１７２８３６号引用ジッパーで（ｂ）はそのシッパーを取り付け方を引用して説明する、（ｃ）〜（ｄ）は本発明のジッパーテープの左右を示す表面側と裏面側の説明図である。
【図５】（ａ）〜（ｃ）は従来のジッパーテープの欠陥の実施例で伸上り現象縫製手順を模式的に説明する説明図である
【図６】（ａ）は本発明者の米国特開００１４３００号の表紙で布帛織の縦織と横織の横糸たるみ織の説明図であり（ｂ）は本発明に使用される、縦織と横織の縦糸たるみ織の説明図である。
【符号の説明】
１…伸縮ミシン糸及ステッチ左側
１Ａ…伸縮ミシン糸・ステッチ右側
２…ミシン糸及ステッチ
３…ジッパーテープ  左側
３Ａ…ジッパーテープ  右側
４…スライダー噛ませ部
５…布地（ジッパー取付用）
５Ａ…布地のジッパー縫付部
６…伸縮ミシンステッチ２本目
７…ミシン糸ステッチ２本目
８…ジッパーテープ左側
９…ジッパーテープ右側
１０…布地（ジッパー取付部）
１１…ミシン針
１２…下糸用ボビンケース
１３…ミシン機の送り金
１４…ミシン上糸
１５…伸縮ミシン糸
１６…ボビン用下糸巻
１７…ミシン機の送り金方向
１８…伸長ジッパーの手持部
１９…伸長ジッパーの方向
１９Ａ…ジッパーテープ右の逆送り方向
２０…ジッパーテープ
２１…ミシン上糸・そのステッチ
２２…ミシン下糸・そのステッチ
２４…ジッパーテープ左側・表逆Ｃ状
２５…ジッパーテーフ右側・表Ｃ状
２４Ａ…裏側ジッパー右テープ・Ｃ状
２５Ａ…裏側ジッパー左テープ・逆Ｃ状
２６…伸上りの通常ジッパーテープその１
２６Ａ…伸上りの通常ジッパーテープその２
２７…伸上りジッパー取付布
２８…伸上りジッパー取付ミシンステッチ
３０…伸縮性糸布テープ部
３１…スライダー噛ませ部
３２…伸縮性糸布テープ部
３３…ジッパーテープ
３５…ジッパー取付け部
ＵＳ１…布帛織横糸直線織上
ＵＳ２…布帛織たるみ縦糸  左
ＵＳ１Ａ…布帛織横糸直線織下
ＵＳ２Ａ…布帛織たるみ縦糸  右
Ｘ…織交差にライクラ糸侵入空き間
【図１】
2004216100.tif 000003
【図２】
2004216100.tif 000004
【図３】
2004216100.tif 000005
【図４】
2004216100.tif 000006
【図５】
2004216100.tif 000007
【図６】
2004216100.tif 000008